(57)【要約】【課題】装身具を腕に装着した状態で装身具の長さを調整できるようにする。【解決手段】留金１０は、腕時計（不図示）の一方の時計バンドＢＮＤ−Ａ及び他方の時計バンドＢＮＤ−Ａと共に帯状の装身具をなす。留金１０では、ロックピース１５−ｋの押部３３−ｋが付勢方向と逆方向に距離Ｄ１１だけ動いたときにフック部３２−ｋによるロックピン７８の挟持が解除される。また、ロックピース１５−ｋの押部３３−ｋが逆方向に距離Ｄ１２だけ動いたときにロックピース１５−ｋの凸部３４−ｋと長孔５２−ｋの凹部５３−ｋ，５４−ｋとの係合が解除される。【選択図】図１
2014004197.tif 000002
【特許請求の範囲】
【請求項１】
空洞をその両側に開口ができるようにして囲む複数個の壁部からなるハウジングであって、前記空洞を挟んで上下に対向する２つの壁部のうち少なくとも下側の壁部に孔が設けられたハウジングと、
一端部にフック部を有するとともに他端部に押部とこの押部から凸んだ凸部とを有する２つのロックピースであって、各々のフック部が前記空洞内における前記下側の壁の孔の真上の位置を挟んで対向するとともに各々の押部が前記各開口から露出するように前記空洞内に収められた２つのロックピースと、
前記２つのロックピースが前記空洞外に広がる方向を付勢力の作用方向とし、この作用方向に前記２つのロックピースを付勢する付勢部材と、
前記２つのロックピースの押部が基準位置よりも外に広がらないように前記空洞内における前記２つのロックピースの前記作用方向への移動を規制する規制部材と、
前記２つのロックピースにおける前記開口から露出した部分が挿通される長孔であって当該長孔の内縁の複数の箇所が凹部として切り欠かれた長孔を有する２つの側壁部とこれら２つの側壁部の上縁の間に介在する壁部とからなるアジャスタであって、前記２つのロックピースの凸部が前記長孔の各凹部のいずれとも係合していないときに当該アジャスタが前記２つのロックピース上を摺動し前記凸部が前記長孔の各凹部のいずれかと係合しているときに前記摺動が規制されるようにして前記ハウジングを覆うアジャスタと、
一方の板が前記ハウジングの端部に回動自在に連結された２枚の板からなる中折れ部材であって、一方の板上に当該板を前記ハウジングと当接するまで動かしたときに前記下側の壁部の孔から前記２つのロックピースのフック部間に進入してこれらに挟持されるロックピンが設けられている中折れ部材と、
を具備し、
前記２つのロックピースの押部が前記作用方向と逆方向に第１の距離だけ動いたときに前記フック部による前記ロックピンの挟持が解除され、前記２つのロックピースの押部が前記基準位置から前記逆方向に前記第１の距離よりも長い第２の距離だけ動いたときに前記２つのロックピースの凸部と前記長孔の凹部との係合が解除されるように構成されていることを特徴とする中留。
【請求項２】
前記ロックピンは、板の表面に基端が固定された軸部と軸部の先端に固定された傘部とからなり、前記軸部の半径と前記傘部の半径の差よりも前記ロックピースのフック部の内縁が前記ロックピンを挟持した状態における前記開口外に露出した部分の幅のほうが大きいことを特徴とする請求項１に記載の中留。
【請求項３】
前記開口と平行に延在するとともに長孔を有する２つの側壁部であって当該側壁部の長孔から前記２つのロックピースの押部を露出させるようにして前記２つのロックピースを支持する２つの側壁部とこの２つの側壁部の上縁の間に介在する上壁部とからなるフロントカバーを具備することを特徴とする請求項１または２に記載の中留。
【発明の詳細な説明】
【技術分野】
【０００１】
この発明は、三つ折れプッシュ式の装身具の中留に関する。
【背景技術】
【０００２】
この種の中留に関わる技術を開示した文献として、特許文献１がある。同文献に開示された装身具は、腕時計の一方の時計バンドと、他方の時計バンドと、中折れ部材と、中留機構とから構成されている。この装身具の中折れ部材は、２枚の板を回動自在に連結したものである。中折れ部材における一方の板にはロックピンが植設されている。中留機構は、プッシュボタン保持部材と、お互いの一端部の係合部同士を対向させるようにしてプッシュボタン保持部材内に収められた一対のプッシュボタンと、このプッシュボタンに付勢力を与えるスプリングと、スプリングの付勢方向の直交方向に摺動し得るように支持されたスライド板とを有する。この中留機構では、スライド板にその上下を貫く開口があり、この開口の内縁にラチェット歯が設けられている。また、プッシュボタンの係合部からは係合突起が起立している。また、腕時計における一方の時計バンドの先端部が中折れ部材におけるロックピンの付いていない方の板の端部に連結されており、腕時計における他方の時計バンドの先端部がスライド板の前端部に連結されている。この中留機構では、プッシュボタンを内側に押し込んでいない状態で中折れ部材における２枚の板を折り畳むと、その一方の板上のロックピンがプッシュボタン保持部材内におけるプッシュボタンの係合部間の隙間に進入してそのまま係合部間に挟持され、プッシュボタンを内側に押し込むとその挟持が解除される。また、プッシュボタンを内側に押し込んでいない状態では、プッシュボタンの係合突起とスライド板のラチェット歯が係合し合ってスライド板の摺動が規制され、プッシュボタンを内側に押し込むと係合突起とラチェット歯が係合しなくなってスライド板の摺動の規制が解除される。この中留機構では、このプッシュボタンを内側に押し込んだ状態におけるスライド板の摺動により、装身具自体の長さを調整することができる。
【先行技術文献】
【特許文献】
【０００３】
【特許文献１】特許第３７１０８７２号公報
【発明の概要】
【発明が解決しようとする課題】
【０００４】
しかしながら、特許文献１の技術の場合、プッシュボタンを押しこむと係合突起とラチェット歯の係合が解除されてしまうため、装身具を腕から外すときにそれ自体の長さが変化してしまい易いという問題があった。
【０００５】
本発明は、このような課題に鑑みてなされたものであり、装身具自体の長さを保ったままでの腕への着脱を容易に行えるような技術的手段を提供することを目的とする。
【課題を解決するための手段】
【０００６】
上記課題を解決するため、本発明は、空洞をその両側に開口ができるようにして囲む複数個の壁部からなるハウジングであって、前記空洞を挟んで上下に対向する２つの壁部のうち少なくとも下側の壁部に孔が設けられたハウジングと、一端部にフック部を有するとともに他端部に押部とこの押部から凸んだ凸部とを有する２つのロックピースであって、各々のフック部が前記空洞内における前記下側の壁の孔の真上の位置を挟んで対向するとともに各々の押部が前記各開口から露出するように前記空洞内に収められた２つのロックピースと、前記２つのロックピースが前記空洞外に広がる方向を付勢力の作用方向とし、この作用方向に前記２つのロックピースを付勢する付勢部材と、前記２つのロックピースの押部が基準位置よりも外に広がらないように前記空洞内における前記２つのロックピースの前記作用方向への移動を規制する規制部材と、前記２つのロックピースにおける前記開口から露出した部分が挿通される長孔であって当該長孔の内縁の複数の箇所が凹部として切り欠かれた長孔を有する２つの側壁部とこれら２つの側壁部の上縁の間に介在する壁部とからなるアジャスタであって、前記２つのロックピースの凸部が前記長孔の各凹部のいずれとも係合していないときに当該アジャスタが前記２つのロックピース上を摺動し前記凸部が前記長孔の各凹部のいずれかと係合しているときに前記摺動が規制されるようにして前記ハウジングを覆うアジャスタと、一方の板が前記ハウジングの端部に回動自在に連結された２枚の板からなる中折れ部材であって、一方の板上に当該板を前記ハウジングと当接するまで動かしたときに前記下側の壁部の孔から前記２つのロックピースのフック部間に進入してこれらに挟持されるロックピンが設けられている中折れ部材とを具備し、前記２つのロックピースの押部が前記作用方向と逆方向に第１の距離だけ動いたときに前記フック部による前記ロックピンの挟持が解除され、前記２つのロックピースの押部が前記基準位置から前記逆方向に前記第１の距離よりも長い第２の距離だけ動いたときに前記２つのロックピースの凸部と前記長孔の凹部との係合が解除されるように構成されていることを特徴とする中留を提供する。
【０００７】
本発明によると、２つのロックピースの押部が付勢力の作用方向と逆方向に第１の距離だけ動いたときにフック部によるロックピンの挟持が解除され、２つのロックピースの押部が基準位置から付勢力の作用方向と逆方向に第２の距離だけ動いたときに２つのロックピースの凸部と長孔の凹部との係合が解除される。よって、本発明によると、装身具自体の長さを保ったままでの腕への着脱を容易に行うことができる。
【図面の簡単な説明】
【０００８】
【図１】本発明の一実施形態である中留の斜視図である。
【図２】図１を矢印Ａ方向から視た図である。
【図３】図１を矢印Ｂ方向から視た図である。
【図４】図１に示す中留の分解状態の斜視図である。
【図５】同中留のハウジングユニットの分解状態の斜視図である。
【図６】同中留のハウジングの側面図および下面図である。
【図７】同中留のロックピースの側面図および下面図である。
【図８】同中留のロックピースの押部の位置とそれらのフック部の内縁間の距離との関係を示す図である。
【図９】同中留のロックピースの押部の位置とそれらのフック部の内縁間の距離との関係を示す図である。
【図１０】同中留のロックピースの凸部の位置とアジャスタの摺動との関係を示す図である。
【図１１】同中留のロックピースの凸部の位置とアジャスタの摺動との関係を示す図である。
【図１２】同中留のフロントカバーの上面図及び断面図である。
【図１３】同中留におけるプレートとフロントカバーの上壁部との関係を示す図である。
【図１４】同中留における半径差Ｄ１１と幅Ｄ１２との関係を示す図である。
【発明を実施するための形態】
【０００９】
以下、図面を参照しつつ本発明の実施形態について説明する。
図１は、本発明の一実施形態である中留１０の斜視図である。図２は、図１を矢印Ａ方向から視た図である。図３は、図１を矢印Ｂ方向から視た図である。図４は、中留１０の分解状態の斜視図である。この中留１０は、腕時計（不図示）の一方の時計バンドＢＮＤ−Ａ（不図示）及び他方の時計バンドＢＮＤ−Ｂ（不図示）と共に帯状の装身具をなすものである。この中留１０は、ハウジングユニット１１と、フロントカバー１２と、中折れ部材１３とを有する。
【００１０】
図５は、ハウジングユニット１１の分解状態の斜視図である。ハウジングユニット１１は、ハウジング１４、ロックピース１５−ｋ（ｋ＝１，２）、スプリング１６−ｋ（ｋ＝１，２）、ネジ１７−ｋ（ｋ＝１，２）、アジャスタ１８、及びプレート１９の各部材を一体化したものである。このハウジングユニット１１のハウジング１４は、ロックピース１５−ｋ（ｋ＝１，２）とスプリング１６−ｋ（ｋ＝１，２）を収容する筐体としての役割を果たす。図６（Ａ）は、ハウジング１４の側面図である。図６（Ｂ）は、図６（Ａ）のハウジング１４を矢印Ｃ方向から見た図である。図６（Ａ）及び図６（Ｂ）に示すように、ハウジング１４は、偏平な略直方体状の空洞ＣＶをその側方に開口２１−ｋ（ｋ＝１，２）ができるようにして囲む壁部２２，２３，２４，２５，２６からなる。壁部２２，２３，２４，２５，２６のうち壁部２２と壁部２３及び２４は空洞ＣＶを挟んで上下に対向している。壁部２３と壁部２４の間には隙間があいている。壁部２５及び壁部２６は空洞ＣＶを挟んで前後に対向している。壁部２６における開口２１−ｋ（ｋ＝１，２）の裏側にあたる部分には凸部２７−ｋ（ｋ＝１，２）が設けられている。凸部２７−ｋ（ｋ＝１，２）には孔２８−ｋ（ｋ＝１，２）が穿設されている。壁部２２の中央には孔１００が穿設されている。壁部２３及び２４における孔１００の真下の位置は略半円状に切り欠かれており、この壁部２３及び２４の切欠部分の内縁が孔１０１を形成している。壁部２３における開口２１−１の側の端部から反対側の端部に向かって距離Ｄ１（例えば、Ｄ１＝６．１０ｍｍ）だけ離れた位置にはネジ穴３１−１が設けられている。壁部２４における開口２１−２の側の端部から反対側の端部に向かって距離Ｄ１だけ離れた位置にはネジ穴３１−２が設けられている。
【００１１】
ロックピース１５−ｋ（ｋ＝１，２）は手指による押し込み操作を行う操作子としての役割を果たす。図７（Ａ）は、ロックピース１５−ｋの側面図である。図７（Ｂ）は、図７（Ａ）のロックピース１５−ｋを矢印Ｄ方向から見た図である。図７（Ａ）及び図７（Ｂ）に示すように、ロックピース１５−ｋは、一端部におけるフック部３２−ｋと他端部における押部３３−ｋ及びこの押部３３−ｋから凸んだ凸部３４−ｋとからなる。押部３３−ｋは、壁部２２及び壁部２３，２４間よりも僅かに小さい縦幅Ｈ２（例えば、Ｈ２＝１．００ｍｍ）と、壁部２５及び２６間よりも僅かに小さい横幅Ｗ２（例えば、Ｗ２＝７．５０ｍｍ）と、奥行幅Ｄ２（例えば、Ｄ２＝５．８０ｍｍ）とを持った薄板状をなしている。押部３３−ｋにおける幅Ｄ２方向に対向する端面３５−ｋ，３６−ｋのうちの端面３５−ｋは外側に向かって湾曲している。押部３３−ｋにおける幅Ｗ２方向に対向する端面３７−ｋ，３８−ｋのうちの端面３７−ｋと端面３６−ｋとの交差位置における幅Ｗ３（例えば、Ｗ３＝１．２５ｍｍ）×幅Ｄ３（例えば、Ｄ３＝１．００ｍｍ）の寸法を持った部分は切り欠かれている。この押部３３−ｋの切欠き部分における２つの切欠き面３９−ｋ及び４０−ｋは略Ｌ字状に交差している。凸部３４−ｋは、押部３３−ｋにおける縦幅Ｈ２方向に対向する端面４５−ｋ，４６−ｋのほぼ中央における幅Ｗ４（例えば、Ｗ４＝１．３０ｍｍ）×幅Ｄ４（例えば、Ｄ４＝２．５０ｍｍ）の寸法を持った矩形状の領域を端面４５−ｋから端面４６−ｋの側に縦幅Ｈ４（例えば、Ｈ４＝０．５０ｍｍ）だけ押し出したものである。フック部３２−ｋは、略Ｊ字状をなしている。フック部３２−ｋは、縦幅Ｈ２、横幅Ｗ５（例えば、Ｗ５＝５．１５ｍｍ）、及び奥行幅Ｄ５（例えば、Ｄ５＝７．２０ｍｍ）の寸法を有している。フック部３２−ｋは、押部３３−ｋの端面３６−ｋにおける端面３８−ｋよりも幅Ｗ６（例えば、Ｗ６＝１．２５ｍｍ）だけ離れた点とこの点からさらに幅Ｗ７（例えば、Ｗ７＝１．１０ｍｍ）だけ離れた点との間の部分を基端として幅Ｄ５方向に直進し、その直進した先が端面３７−ｋ側に屈曲している。フック部３２−ｋの直進部分における端面３６−ｋから幅Ｄ８（例えば、Ｄ８＝３．８０ｍｍ）だけ離れた点とこの点からさらに幅Ｄ９（例えば、Ｄ９＝１．２０ｍｍ）だけ離れた点との間の部分は端面３８−ｋ側に凸んでいる。この凸んだ部分における幅Ｄ９方向に対向する端面４１−ｋ，４２−ｋは押部３３−ｋの端面３６−ｋと平行になっている。フック部３２−ｋの屈曲部分における端面３６−ｋ側に臨む内縁４３−ｋは円弧状をなしている。
【００１２】
ロックピース１５−ｋ（ｋ＝１，２）は、各々のフック部３２−ｋがハウジング１４の空洞ＣＶ内における壁部２３及び２４の孔１００の真上の位置を挟んで対向するとともに各々の押部３３−ｋが開口２１−ｋから露出するようにして空洞ＣＶ内に収められている。より具体的に説明すると、図８に示すように、空洞ＣＶ内におけるロックピース１５−１の押部３３−１は孔１０１よりも開口２１−１側にあり、この開口２１−１から押部３３−１の一部が露出している。ロックピース１５−２の押部３３−２は孔１０１よりも開口２１−２側にあり、この開口２１−２から押部３３−２の一部が露出している。ロックピース１５−１のフック部３２−１は孔１０１の壁部２６側から孔１０１の開口２１−１側に回り込んでいる。ロックピース１５−１のフック部３２−１の内縁４３−１は孔１０１の中心Ｏを向いている。ロックピース１５−２のフック部３２−２は孔１０１の壁部２５側から孔１０１の開口２１−２側に回り込んでいる。ロックピース１５−２のフック部３２−２の内縁４３−２は孔１０１の中心Ｏを向いている。
【００１３】
ロックピース１５−ｋ（ｋ＝１，２）の押部３３−ｋ（ｋ＝１，２）の端面４５−ｋ（ｋ＝１，２）は壁部２２を摺動し得る程度の弱い摩擦力を持って壁部２２に接している。ロックピース１５−ｋ（ｋ＝１，２）の押部３３−ｋ（ｋ＝１，２）の端面４６−ｋ（ｋ＝１，２）は壁部２３，２４を摺動し得る程度の弱い摩擦力を持って壁部２３，２４に接している。ロックピース１５−ｋ（ｋ＝１，２）の凸部３４−ｋ（ｋ＝１，２）は幅Ｗ４を有している。この凸部３４−ｋ（ｋ＝１，２）は壁部２３，２４間を摺動し得るようになっている。
【００１４】
ロックピース１５−１の押部３３−１の端面３９−１とロックピース１５−２のフック部３２−２の端面４１−２との間には付勢部材たるスプリング１６−１が介挿されている。ロックピース１５−２の押部３３−２の端面３９−２とロックピース１５−１のフック部３２−１の端面４１−１との間には付勢部材たるスプリング１６−２が介挿されている。スプリング１６−ｋ（ｋ＝１，２）は、ロックピース１５−ｋ（ｋ＝１，２）が空洞ＣＶ外に広がる方向を付勢力の作用方向Ｅとし、この作用方向Ｅにロックピース１５−ｋ（ｋ＝１，２）を付勢する役割を果たす。
【００１５】
壁部２３のネジ穴３１−１（図６（Ｂ））には規制手段たるネジ１７−１が累合されている。ネジ１７−１の先端部は壁部２３を貫いて空洞ＣＶ内に達している。壁部２４のネジ穴３１−２（図６（Ｂ））には規制手段たるネジ１７−２が累合されている。ネジ１７−２の先端部は壁部２４を貫いて空洞ＣＶ内に達している。ネジ１７−ｋ（ｋ＝１，２）は、ロックピース１５−ｋ（ｋ＝１，２）の各々の押部３３−ｋが空洞ＣＶの開口２１−ｋから幅Ｄ１０（例えば、Ｄ１０＝３．１０ｍｍ）だけ外に露出する位置を基準位置ＮＰとし、押部３３−ｋ（ｋ＝１，２）がこの基準位置ＮＰよりも外に広がらないように空洞ＣＶ内におけるロックピース１５−ｋ（ｋ＝１，２）の移動を規制する役割を果たす。
【００１６】
より具体的に説明すると、図８に示すように、ロックピース１５−ｋ（ｋ＝１，２）の各々の押部３３−ｋが基準位置ＮＰまで広げられた状態では、ロックピース１５−ｋ（ｋ＝１，２）のフック部３２−ｋ（ｋ＝１，２）の内縁４３−ｋ（ｋ＝１，２）は付勢方向Ｅと平行な短軸をもった略楕円状をなしている。そして、図９に示すように、ロックピース１５−ｋ（ｋ＝１，２）の押部３３−ｋ（ｋ＝１，２）に付勢方向Ｅと逆方向Ｅ’の力が加わると、ロックピース１５−ｋ（ｋ＝１，２）はスプリング１６−ｋ（ｋ＝１，２）の付勢力に抗って移動し、空洞ＣＶ内における孔１０１の中心Ｏの位置からフック部３２−ｋの内縁４３−ｋまでの距離がこの移動量の分だけ広がる。
【００１７】
アジャスタ１８は、当該中留１０と時計バンドＢＮＤ−Ａ（不図示）及び時計バンドＢＮＤ−Ａ（不図示）とからなる装身具の長さを調整する調整手段としての役割を果たす。図５及び図１０に示すように、アジャスタ１８は、ハウジング１４の開口２１−ｋ（ｋ＝１，２）と平行に延在する２つの側壁部５０−ｋ（ｋ＝１，２）とこれらの側壁部５０−ｋ（ｋ＝１，２）の上縁の間に介在する上壁部５１とからなる。側壁部５０−ｋ（ｋ＝１，２）には、押部３３−ｋ（ｋ＝１，２）の縦幅Ｈ２よりも僅かに大きい縦幅Ｈ１１（例えば、Ｈ１１＝１．１０ｍｍ）と同部３３−ｋよりも十分に長い横幅Ｗ１１（例えば、Ｗ１１＝１０．７０ｍｍ）とを持った長孔５２−ｋ（ｋ＝１，２）が穿設されている。長孔５２−ｋ（ｋ＝１，２）には、ロックピース１５−ｋ（ｋ＝１，２）の押部３３−ｋ（ｋ＝１，２）における開口２１−ｋ（ｋ＝１，２）から露出した部分が挿通される。長孔５２−ｋ（ｋ＝１，２）の各々の内縁には下方向に切り欠かれた凹部５３−ｋ，５４−ｋがある。側壁部５０−ｋ（ｋ＝１，２）における後端から僅かに長孔５２−ｋの側に離れた位置には孔５５−ｋが穿設されている。アジャスタ１８の孔５５−ｋには時計バンドＢＮＤ−Ａ（不図示）の端部がピン２０１（図４）を連結軸として回動自在に連結される。アジャスタ１８の上壁部５１は開口５６を囲む枠状をなしている。
【００１８】
アジャスタ１８は、ロックピース１５−ｋ（ｋ＝１，２）の凸部３４−ｋ（ｋ＝１，２）が長孔５２−ｋ（ｋ＝１，２）の凹部５３−ｋ（ｋ＝１，２），５４−ｋ（ｋ＝１，２）のいずれとも係合していないときに当該アジャスタ１８がロックピース（ｋ＝１，２）上を摺動し凸部３４−ｋ（ｋ＝１，２）が長孔５２−ｋ（ｋ＝１，２）の各凹部５３−ｋ（ｋ＝１，２），５４−ｋ（ｋ＝１，２）のいずれかと係合しているときにこの摺動が規制されるようにしてハウジング１４を覆っている。より具体的に説明すると、図４に示すように、ロックピース１５−ｋ（ｋ＝１，２）の各々の押部３３−ｋにおける開口２１−ｋの外の部分は長孔５２−ｋを通ってその外側に突出している。図１０に示すように、ロックピース１５−ｋの押部３３−ｋが押されてその凸部３４−ｋが側壁部５０−ｋの内側にある間は、アジャスタ１８は、その長孔５２−ｋ（ｋ＝１，２）内におけるロックピース１５−ｋ（ｋ＝１，２）の押部３３−ｋ（ｋ＝１，２）とハウジング１４における側壁部５０−ｋ（ｋ＝１，２）側を向いた面をガイドとして横幅Ｗ１１方向（図１０の矢印Ｆが示す方向）に摺動し得る。図１１に示すように、ロックピース１５−ｋの押部３３−ｋの横幅Ｗ１１方向における押部３３−ｋの凸部３４−ｋと側壁部５０−ｋの長孔５２−ｋの凹部５３−ｋ（または，凹部５４−ｋ）の位置が重なっている状態において押部３３−ｋを押す力が弱まると、ロックピース１５−ｋが外側に動いて押部３３−ｋの凸部３４−ｋが凹部５３−ｋ（または，凹部５４−ｋ）に係合する。そして、凸部３４−ｋが凹部５３−ｋ（または凹部５４−ｋ）に係合している間は、アジャスタ１８の横幅Ｗ１１方向（図１０の矢印Ｆが示す方向）への摺動が規制される。
【００１９】
プレート１９は、アジャスタ１８の上壁部５１の開口５６より狭い横幅とこれよりも短い奥行幅とを持った矩形状をなしている。プレート１９の底面は、ハウジング１４の上壁部２２の上面に固定されている。
【００２０】
フロントカバー１２は、ハウジング１４の開口２１−ｋ（ｋ＝１，２）に沿って延在する２つの側壁部６０−ｋ（ｋ＝１，２）とこの２つの側壁部６０−ｋ（ｋ＝１，２）の上縁の間に介在する上壁部６１とからなる。図１２（Ａ）は、フロントカバー１２を上から見た図である。図１２（Ｂ）は、図１２（Ａ）のＨ−Ｈ’線断面図である。図１２（Ｃ）は、図１２（Ａ）のＧ−Ｇ’線断面図である。図１２（Ａ）、図１２（Ｂ）、図１２（Ｃ）に示すように、上壁部６１は僅かに湾曲している。側壁部６０−ｋ（ｋ＝１，２）には長孔６２−ｋ（ｋ＝１，２）が穿設されている。長孔６２−ｋ（ｋ＝１，２）の下縁の中央内側は凹部６４−ｋ（ｋ＝１，２）として切り欠かれている。フロントカバー１２は、側壁部６０−ｋ（ｋ＝１，２）の長孔６２−ｋ（ｋ＝１，２）からロックピース１５−ｋ（ｋ＝１，２）の押部３３−ｋ（ｋ＝１，２）を露出させるようにしてハウジングユニット１１を覆っている。また、図１３に示すように、フロントカバー１２に覆われた状態において、プレート１９の上面は、フロントカバー１２の上壁部６１の内面６５に接している。このプレート１９により、側壁部６０−ｋ（ｋ＝１，２）の長孔６２−ｋ（ｋ＝１，２）の上端面６３−ｋ（ｋ＝１，２）とロックピース１５−ｋ（ｋ＝１，２）の端面４５−ｋ（ｋ＝１，２）との間には一定の間隔が保たれる。また、フロントカバー１２に覆われた状態において、ロックピース１５−ｋ（ｋ＝１，２）が基準位置ＮＰまで広がると、ロックピース１５−ｋ（ｋ＝１，２）の凸部３４−ｋ（ｋ＝１，２）が、フロントカバー１２の側壁部６０−ｋ（ｋ＝１，２）の凹部６４−ｋ（ｋ＝１，２）まで移動する。
【００２１】
中折れ部材１３は、ハウジングユニット１１と時計バンドＢＮＤ−Ｂ（不図示）とを連結する役割を果たす。図４に示すように、中折れ部材１３は２枚の板７１及び７２からなる。板７１と板７２の各一端部はピン２０２を連結軸として回動自在に連結されている。板７２における板７１と連結された側と反対側の端部７５はその表面側に屈曲している。板７２の端部７５には同部７５を板７２の幅方向に貫く孔７６が設けられている。板７２の孔７６とハウジング１４の凸部２７−ｋ（ｋ＝１，２）の孔２８−ｋ（ｋ＝１，２）はピン２０４を連結軸として回動自在に連結されている。板７２には、その表面と裏面の間を貫く矩形状の開口３０１が設けられている。板７１における板７２と連結された側と反対側の端部７３はその表面側に屈曲している。板７１の端部７３には同部７３を板７１の幅方向に貫く孔７４が設けられている。板７１の孔７４には時計バンドＢＮＤ−Ｂ（不図示）の端部がピン２０３を連結軸として回動自在に連結される。板７１の表面には、板７２の開口３０１より僅かに狭い縦幅及び横幅を持った矩形状の凸部３０２が設けられている。この凸部３０２の上面における端部７３側の中央の位置にはロックピン７８がある。ロックピン７８は、板７１の凸部３０２の表面に基端が固定された軸部７９と軸部７９の先端に固定された傘部８０とからなる。ロックピン７８は、板７１を当該板７１の凸部３０２がハウジング１４と当接するまで動かしたときにハウジング１４の壁部２３、２４の孔１０１からロックピース１５−ｋ（ｋ＝１，２）のフック部３２−ｋ（ｋ＝１，２）の内縁４３−ｋ（ｋ＝１，２）間に進入してこれらに挟持される。より具体的に説明すると、板７１及び７２を折り曲げるようにして板７１をハウジング１４側に動かすと、図４に示すように、板７１の凸部３０２が板７２の開口３０１の下側から開口３０１に嵌り込み、凸部３０２上のロックピン７８の傘部８０が孔１０１を通ってロックピース１５−ｋ（ｋ＝１，２）のフック部３２−ｋ（ｋ＝１，２）の内縁４３−ｋ（ｋ＝１，２）に接触する。板７１をさらにハウジング１４側に動かすと、ロックピン７８は傘部８０によりロックピース１５−ｋ（ｋ＝１，２）のフック部３２−ｋ（ｋ＝１，２）の内縁４３−ｋ（ｋ＝１，２）間を押し広げつつ上に移動する。ロックピン７８の傘部８０がロックピース１５−ｋ（ｋ＝１，２）のフック部３２−ｋ（ｋ＝１，２）の端面４５−ｋ（ｋ＝１，２）よりも上に達すると、ロックピース１５−ｋ（ｋ＝１，２）が基準位置ＮＰに向かって動き、傘部８０の下側の面とフック部３２−ｋ（ｋ＝１，２）の上側の面とが係合する。この係合以降は傘部８０はフック部３２−ｋ（ｋ＝１，２）の内縁４３−ｋ（ｋ＝１，２）間の側に戻れなくなり、ロックピン７８の軸部７９がフック部３２−ｋ（ｋ＝１，２）の内縁４３−ｋ（ｋ＝１，２）に挟まれた状態が保たれる。
【００２２】
ここで、この中留１０では、図１４に示すように、軸部７９の半径Ｒ１と傘部８０の半径Ｒ２の差Ｄ１１（＝Ｒ２−Ｒ１、例えば、Ｄ１１＝０．４８ｍｍ）よりもロックピース１５−ｋ（ｋ＝１，２）のフック部３２−ｋ（ｋ＝１，２）の内縁４３−ｋ（ｋ＝１，２）がロックピン７８を挟持した状態における凸部３４−ｋ（ｋ＝１，２）の開口２１−ｋ（ｋ＝１，２）外に露出した部分の幅Ｄ１２（例えば、Ｄ１２＝１．１０ｍｍ）のほうが大きい。このため、この中留１０では、ロックピース１５−ｋ（ｋ＝１，２）の押部３３−ｋ（ｋ＝１，２）が基準位置ＮＰから方向Ｅ’（付勢力の作用方向Ｅと逆方向）に距離Ｄ１１だけ動いたときにフック部３２−ｋ（ｋ＝１，２）によるロックピン７８の挟持が解除され、ロックピース１５−ｋ（ｋ＝１，２）の押部３３−ｋ（ｋ＝１，２）が基準位置ＮＰから方向Ｅ’に距離Ｄ１２だけ動いたときにロックピース１５−ｋ（ｋ＝１，２）の凸部３４−ｋ（ｋ＝１，２）と長孔５２−ｋ（ｋ＝１，２）の凹部５３−ｋ（または凹部５４−ｋ）との係合が解除される。
【００２３】
以上が、本実施形態の構成の詳細である。本実施形態によると、次の効果が得られる。
第１に、本実施形態では、ロックピース１５−ｋ（ｋ＝１，２）の押部３３−ｋ（ｋ＝１，２）が基準位置ＮＰから方向Ｅ’に距離Ｄ１１だけ動いたときにフック部３２−ｋ（ｋ＝１，２）によるロックピン７８の挟持が解除され、ロックピース１５−ｋ（ｋ＝１，２）の押部３３−ｋ（ｋ＝１，２）が基準位置ＮＰから方向Ｅ’に距離Ｄ１２だけ動いたときに凸部３４−ｋ（ｋ＝１，２）と凹部５３−ｋ（または凹部５４−ｋ）との係合が解除される。よって、当該中留１０と時計バンドＢＮＤ−Ａ及びＢＮＤ−Ｂとからなる装身具の長さを保ったままでの腕への着脱を容易に行うことができる。
【００２４】
第２に、本実施形態では、アジャスタ１８の側壁部５０−ｋ（ｋ＝１，２）には長孔５２−ｋ（ｋ＝１，２）が穿設されている。そして、ロックピース１５−ｋ（ｋ＝１，２）の押部３３−ｋ（ｋ＝１，２）における開口２１−ｋ（ｋ＝１，２）の外の部分は長孔５２−ｋ（ｋ＝１，２）を通ってその外側に突出している。このため、長孔５２−ｋ（ｋ＝１，２）内の押部３３−ｋ（ｋ＝１，２）の移動は上下方向からの規制を受ける。よって、本実施形態によると、アジャスタ１８をより滑らかに移動させることができる。
【００２５】
第３に、本実施形態では、フロントカバー１２が２つのロックピース１５−ｋ（ｋ＝１，２）の押部３３−ｋ（ｋ＝１，２）をその孔６２−ｋ（ｋ＝１，２）により支持している。このため、本実施形態では、ハウジングユニット１１における凸部３４−ｋ（ｋ＝１，２）と凹部５３−ｋ（または凹部５４−ｋ）との係合機構は外部からは見えない。よって、本実施形態によると、中留１０全体としての統一感ある外観を呈することができる。
【００２６】
第４に、本実施形態では、フロントカバー１２に覆われた状態において、ロックピース１５−ｋ（ｋ＝１，２）が基準位置ＮＰまで広がると、ロックピース１５−ｋ（ｋ＝１，２）の凸部３４−ｋ（ｋ＝１，２）が、フロントカバー１２の側壁部６０−ｋ（ｋ＝１，２）の凹部６４−ｋ（ｋ＝１，２）まで移動する。よって、本実施形態によると、フック部３２−ｋ（ｋ＝１，２）によるロックピン７８の挟持の解除に要する距離Ｄ１１とロックピース１５−ｋ（ｋ＝１，２）の凸部３４−ｋ（ｋ＝１，２）とアジャスタ１８の凹部５３−ｋ（または凹部５４−ｋ）との係合の解除に要する距離Ｄ１２との差が凹部６４−ｋ（ｋ＝１，２）のないものよりも大きくなる。従って、本実施形態によると、当該中留１０と時計バンドＢＡＮＤ−Ａ及びＢＡＮＤ−Ｂとからなる装身具の長さを保ったままでの着脱がより一層行いやすくなる。
【００２７】
以上、本発明の一実施形態について説明したが、かかる実施形態に以下の変形を加えてもよい。
（１）上記実施形態では、壁部２２の中央には孔１００が穿設されていた。しかし、この孔１００を設けなくてもよい。
（２）上記実施形態における各部の寸法はすべて一例であり、これらの寸法を上記実施形態のものより短くしてもよいし、長くしてもよい。
（３）上記実施形態では、フック部３２−ｋの屈曲部分における端面３６−ｋ側に臨む内縁４３−ｋは円弧状をなしていた。しかし、この内縁４３−ｋは直線状をなしていてもよい。
（４）上記実施形態では、板７１にロックピン７８が設けられていた。しかし、板７２を開口３０１のない部材とし、この板７２の表面上にロックピン７８を設けてもよい。
【符号の説明】
【００２８】
１０…中留、１１…ハウジングユニット、１２…フロントカバー、１３…中折れ部材、１４…ハウジング、１５…ロックピース、１６…スプリング、１７…ネジ、１８…アジャスタ、１９…プレート、７８…ロックピン。
【図１】
2014004197.tif 000003
【図２】
2014004197.tif 000004
【図３】
2014004197.tif 000005
【図４】
2014004197.tif 000006
【図５】
2014004197.tif 000007
【図６】
2014004197.tif 000008
【図７】
2014004197.tif 000009
【図８】
2014004197.tif 000010
【図９】
2014004197.tif 000011
【図１０】
2014004197.tif 000012
【図１１】
2014004197.tif 000013
【図１２】
2014004197.tif 000014
【図１３】
2014004197.tif 000015
【図１４】
2014004197.tif 000016